(57)【要約】【課題】コンセントの消費電力量を報知する電源タップを提供する。【解決手段】電気プラグ１０と、電気プラグ１０に電気的に接続される電気ケーブル２０と、電気ケーブル２０に電気的に接続される複数のコンセント３１が形成される本体３０Ａと、コンセント３１における消費電力量を計測する計測部３４Ａと、計測部３４Ａから消費電力量の情報を受け取り、コンセント３１における消費電力量の情報を報知する警報部Ａ１と、を備える。【選択図】図２
0003225937.tif 000002
【実用新案登録請求の範囲】
【請求項１】
電気プラグと、
前記電気プラグに電気的に接続される電気ケーブルと、
前記電気ケーブルに電気的に接続される複数のコンセントと、
前記コンセントにおける消費電力量を計測する計測部と、
前記計測部から前記消費電力量の情報を受け取り、前記コンセントにおける前記消費電力量の情報を報知する警報部と、
を備える電源タップ。
【請求項２】
前記警報部は、前記消費電力量が一定量を超過したことを報知する、
請求項１に記載の電源タップ。
【請求項３】
前記警報部は、前記消費電力量が一定量を超過したことを、音を発することにより報知するブザーを有する、
請求項２に記載の電源タップ。
【請求項４】
前記警報部は、前記消費電力量を表示するディスプレイを有する、
請求項１から請求項３のうちいずれか一項に記載の電源タップ。
【請求項５】
前記コンセントは各々並列に前記電気ケーブルに電気的に接続され、
前記計測部は各々の前記コンセントにおける消費電力量を計測し、
前記警報部は各々の前記コンセントの前記消費電力量の順位を報知する、
請求項１から請求項４のうちいずれか一項に記載の電源タップ。
【請求項６】
前記警報部は、
各々の前記コンセントに対して同数設けられ、各々の前記コンセントにおいて発光色の組み合わせが同一である順位ランプを有し、
前記消費電力量の順位に応じて、前記コンセントに設けられた特定の前記発光色の前記順位ランプを点灯させる、
請求項５に記載の電源タップ。
【請求項７】
前記警報部は、
各々の前記コンセントに対して同数設けられる順位ランプを有し、
点灯させる前記順位ランプの数により前記消費電力量の順位を報知する、
請求項５に記載の電源タップ。
【考案の詳細な説明】
【技術分野】
【０００１】
本考案は、電源タップに関する。
【背景技術】
【０００２】
従来、複数のコンセントを有し、電源から受け取った電力をコンセントに接続された産業機械や家電製品等の電気機器に分電する電源タップ（テーブルタップ）が提案されている。
【０００３】
特許文献１には、過電流遮断機能を有し、内部に過電流が流れると遮断スイッチが自動的にオフに切り替わりコンセントに差し込まれた差し込みプラグを遮断するテーブルタップが記載されている。
【先行技術文献】
【特許文献】
【０００４】
【特許文献１】特開２０１９−１８５８９５号公報
【考案の概要】
【考案が解決しようとする課題】
【０００５】
しかしながら、特許文献１に記載のテーブルタップは、コンセントに生じた電流値が報知されない。そのため、特許文献１に記載のテーブルタップは、過電流を生じたことが、遮断スイッチが自動的にオフになってしまってから認識されるという問題があった。なお、一般的に、電源タップの使用時に過電流を防止することは、電源タップに記載された許容消費電力量を超過しないように、コンセントに生じる消費電力量を考慮して行われる。
【０００６】
本考案は上記事情に鑑みて成されたものであり、コンセントの消費電力量を報知する電源タップを提供することを目的とする。
【課題を解決するための手段】
【０００７】
本考案は、電気プラグと、前記電気プラグに電気的に接続される電気ケーブルと、前記電気ケーブルに電気的に接続される複数のコンセントと、前記コンセントにおける消費電力量を計測する計測部と、前記計測部から前記消費電力量の情報を受け取り、前記コンセントにおける前記消費電力量の情報を報知する警報部と、を備える。
【考案の効果】
【０００８】
本考案の電源タップによれば、警報部を備えることにより、コンセントの消費電力量を報知する電源タップを提供することができる。
【図面の簡単な説明】
【０００９】
【図１】本考案の第一実施形態の電源タップの平面図である。
【図２】同電源タップの機能ブロック図である。
【図３】本考案の第二実施形態の電源タップの平面図である。
【図４】同電源タップの機能ブロック図である。
【図５】同電源タップの順位ランプの発光時を示す図である。
【考案を実施するための形態】
【００１０】
本考案の第一実施形態の電源タップについて、図１及び図２を参照して説明する。
図１は本実施形態に係る電源タップ１００を示す平面図である。電源タップ１００は、電源に接続され、電気ケーブルを介して複数のコンセントに分電し、コンセントの消費電力量を報知する装置である。図２は本実施形態に係る電源タップ１００の機能ブロック図である。
【００１１】
図１に示すように、電源タップ１００は、電気プラグ１０と、電気ケーブル２０と、本体３０Ａと、を備える。
【００１２】
電気プラグ１０は、公知の構成から適宜選択されたものであり、電源タップ１００の使用時に、電源に接続され、電源から電力を供給される。
【００１３】
電気ケーブル２０は、公知の構成から適宜選択されたものであり、電気プラグ１０に電気的に接続される。
【００１４】
本体３０Ａは、電気ケーブル２０から受けとった電力を複数のコンセントに分電し、コンセントの消費電力量を報知する。図１及び図２に示すように、本体３０Ａは、コンセント３１と、スイッチ３２と、通電ランプ３３と、計測部３４Ａと、ブザー３５と、ディスプレイ３６と、を備える。
【００１５】
図２に示すように、コンセント３１は、複数が電気ケーブル２０に電気的に並列に接続する。コンセント３１は、産業機械又は家電製品等の電気機器の電気プラグが差し込まれ、電気ケーブル２０から受けとった電力を電気機器に分電する。本実施形態では、コンセント３１は、４口形成され、第１コンセント３１ａ、第２コンセント３１ｂ、第３コンセント３１ｃ、及び第４コンセント３１ｄが形成されている。コンセント３１は、２口以上形成されていればよい。
【００１６】
スイッチ３２は、電気ケーブル２０とコンセント３１との間に配置され、コンセント３１に対して電力を導通又は遮断する。本実施形態では、スイッチ３２は、４つ設けられ、第１スイッチ３２ａ、第２スイッチ３２ｂ、第３スイッチ３２ｃ、及び第４スイッチ３２ｄが設けられている。
【００１７】
スイッチ３２は、各々のコンセント３１に対して独立的に電力を導通又は遮断可能である。第１スイッチ３２ａは第１コンセント３１ａに対して電力を導通又は遮断する。第２スイッチ３２ｂは第２コンセント３１ｂに対して電力を導通又は遮断する。第３スイッチ３２ｃは第３コンセント３１ｃに対して電力を導通又は遮断する。第４スイッチ３２ｄは第４コンセント３１ｄに対して電力を導通又は遮断する。
【００１８】
なお、スイッチ３２は設けられなくてもよい。また、複数のコンセント３１に対して一括して電力を導通又は遮断させるスイッチが設けられてもよい。
【００１９】
通電ランプ３３は、スイッチ３２がコンセント３１に電力を導通している場合に点灯し、電力が導通していることを報知する。通電ランプ３３は、例えばＬＥＤ（Ｌｉｇｈｔ  Ｅｍｉｔｔｉｎｇ  Ｄｉｏｄｅ）が使用できる。通電ランプ３３の発光部はスイッチ３２の操作部と一体的に設けられている。本実施形態では、通電ランプ３３は、４つ設けられ、第１通電ランプ３３ａ、第２通電ランプ３３ｂ、第３通電ランプ３３ｃ、及び第４通電ランプ３３ｄが設けられている。
【００２０】
通電ランプ３３は、スイッチ３２に対して独立的に電力の導通状態を報知可能である。第１通電ランプ３３ａは第１スイッチ３２ａの電力の導通状態を報知する。第２通電ランプ３３ｂは第２スイッチ３２ｂの電力の導通状態を報知する。第３通電ランプ３３ｃは第３スイッチ３２ｃの電力の導通状態を報知する。第４通電ランプ３３ｄは第４スイッチ３２ｄの電力の導通状態を報知する。
【００２１】
計測部３４Ａは、コンセント３１に接続され、コンセント３１に生じている消費電力量を計測する。計測部３４Ａは、アナログ回路により構成されている。計測部は、ＣＰＵ（Ｃｅｎｔｒａｌ  Ｐｒｏｃｅｓｓｉｎｇ  Ｕｎｉｔ）を有するコンピュータ等のディジタル回路により構成されてもよい。
【００２２】
ブザー３５は、コンセント３１の消費電力量が一定量以上である場合に、計測部３４Ａから信号（情報）を受け取り、ブザー音を発して報知する。
【００２３】
ディスプレイ３６は、計測部３４Ａから信号を受け取り、コンセント３１の消費電力量を表示して報知する。ディスプレイ３６は、コンセント３１の消費電力量を、液晶パネル等によりディジタル表示する。ディスプレイは、コンセント３１の消費電力量を、針と文字盤と等によりアナログ表示してもよい。
【００２４】
本体３０Ａに設けられるブザー３５、及びディスプレイ３６は警報部Ａ１を構成する。
【００２５】
次に、電源タップ１００の使用時の動作について説明する。
電源タップ１００の使用時は、まず、使用者は電気プラグ１０を不図示の電源に接続する。
【００２６】
次に、使用者は、コンセント３１に不図示の電気機器の電気プラグを差し込む。使用者は、スイッチ３２を操作し、コンセント３１に電力を導通させる。スイッチ３２がコンセント３１に電力を導通させると、通電ランプ３３が点灯する。
【００２７】
コンセント３１に電力が導通されると、計測部３４Ａがコンセント３１における消費電力量を計測し、計測結果をディスプレイ３６に伝達する。計測結果を受け取ったディスプレイ３６は、コンセント３１における消費電力量を表示する。
【００２８】
計測部３４Ａは、コンセント３１における消費電力量が一定量以上であれば、ブザー３５に信号を伝達する。信号を受け取ったブザー３５は、ブザー音を発する。
【００２９】
使用者は、ディスプレイ３６の表示、又はブザー３５のブザー音を確認し、適宜スイッチ３２を操作してコンセント３１に対して電力を遮断する。
【００３０】
本実施形態の電源タップ１００によれば、コンセント３１における消費電力量を表示するディスプレイ３６により、コンセント３１における消費電力量が報知される。ブザー３５により、コンセント３１における消費電力量が一定量を超過したことが報知される。
【００３１】
次に、本考案の第２実施形態の電源タップについて、図３から図５を参照して説明する。
図３は本実施形態に係る電源タップ２００を示す平面図である。電源タップ２００は、電源に接続され、電気ケーブルを介して複数のコンセントに分電し、コンセントの消費電力量を報知する装置である。図４は本実施形態に係る電源タップ２００の機能ブロック図である。
【００３２】
図３に示すように、電源タップ２００は、第１実施形態の構成に加え、順位ランプ３７を備える。また、図４に示すように、電源タップ２００は、第１実施形態において計測部３４Ａに代えて計測部３４Ｂを備える構成である。そのため、計測部３４Ｂを備えることに影響する事項と、順位ランプ３７とを備えることに影響する事項と、についてのみ説明する。
【００３３】
本体３０Ｂは、電気ケーブル２０から受けとった電力を複数のコンセントに分電し、コンセントの消費電力量を報知する。図４に示すように、本体３０Ｂは、コンセント３１と、スイッチ３２と、通電ランプ３３と、計測部３４Ｂと、ブザー３５と、ディスプレイ３６と、順位ランプ３７と、を備える。
【００３４】
計測部３４Ｂは、各々のコンセント３１の消費電力量を計測可能である。計測部３４Ｂは、各々のコンセント３１の消費電力量を計測可能である。計測部３４Ｂは、各々のコンセント３１の消費電力量の大小関係を特定可能であり、各々のコンセント３１の消費電力量の順位を特定可能である。
【００３５】
順位ランプ３７は、計測部３４Ｂから信号を受け取り、発光して各々のコンセント３１の消費電力量の順位を報知する。順位ランプ３７は、例えばＬＥＤが使用できる。順位ランプ３７は、各々のコンセント３１に対して、複数設けられる。順位ランプ３７は、各々のコンセント３１に対して、同数設けられる。順位ランプ３７は、各々のコンセント３１に対して、発光色の組み合わせが同一とされ、例えば赤色ＬＥＤと、緑色ＬＥＤと、青色ＬＥＤと、が設けられる。
【００３６】
本実施形態では、順位ランプ３７は、７組設けられ、第１順位ランプ３７ａ、第２順位ランプ３７ｂ、第３順位ランプ３７ｃ、及び第４順位ランプ３７ｄが設けられている。第１順位ランプ３７ａは第１コンセント３１ａの消費電力量の順位を報知する。第２順位ランプ３７ｂは第２コンセント３１ｂの消費電力量の順位を報知する。第３順位ランプ３７ｃは第３コンセント３１ｃの消費電力量の順位を報知する。第４順位ランプ３７ｄは第４コンセント３１ｄの消費電力量の順位を報知する。
【００３７】
計測部３４Ｂは、各々のコンセント３１の消費電力量の順位に応じて、各々のコンセント３１に対応する順位ランプ３７に個別に信号を送る。
【００３８】
ブザー３５は、コンセント３１の消費電力量の合計が一定量以上である場合に、計測部３４Ｂから信号を受け取り、ブザー音を発して報知する。
【００３９】
ディスプレイ３６は、計測部３４Ｂから信号を受け取り、コンセント３１の合計の消費電力量を表示して報知する。ディスプレイ３６は、各々のコンセント３１の消費電力量を表示してもよい。
【００４０】
本体３０Ｂに設けられるブザー３５、ディスプレイ３６、及び順位ランプ３７は警報部Ａ２を構成する。
【００４１】
次に、電源タップ２００の使用時の動作について説明する。
コンセント３１に電力が導通されると、計測部３４Ｂは、各々のコンセント３１における消費電力量を計測する。計測部３４Ｂは、各々のコンセント３１における消費電力量の大小関係を特定し、各々のコンセント３１の消費電力量の順位を特定する。
【００４２】
計測部３４Ｂは、各々のコンセント３１の消費電力量の順位に基づいて、各々のコンセント３１に対応する順位ランプ３７に信号を伝達する。
【００４３】
図５は、計測部３４Ｂから信号を受け取った順位ランプ３７の発光時を示す図である。図５は、第１コンセント３１ａの消費電力量が最も大きく、続いて第２コンセント３１ｂの消費電力量、第３コンセント３１ｃの消費電力量、第４コンセント３１ｄの消費電力量の順に大きい場合を示す。
【００４４】
図５に示すように、本実施形態では、消費電力量が最も大きい第１コンセント３１ａに対応する第１ＬＥＤランプ３４ａにおいては、図中「Ｒ」で示す赤色ＬＥＤが点灯する。第１コンセント３１ａの次に消費電力量が大きい第２コンセント３１ｂに対応する第２ＬＥＤランプ３４ｂにおいては、図中「Ｇ」で示す緑色ＬＥＤが点灯する。第２コンセント３１ｂの次に消費電力量が大きい第３コンセント３１ｃに対応する第３ＬＥＤランプ３４ｃにおいては、図中「Ｂ」で示す青色ＬＥＤが点灯する。
【００４５】
本実施形態の電源タップ２００によれば、順位ランプ３７により、使用者が各々のコンセント３１における消費電力量の順位を一目で読み取ることができる。そのため、使用者が、電力を遮断することによる消費電力量の低減幅が大きいコンセント３１を特定しやすい。
【００４６】
以上、本考案の各実施形態について説明してきたが、本考案の技術範囲は上記実施の形態に限定されるものではなく、本考案の趣旨を逸脱しない範囲において種々の変更を加えることが可能である。
【００４７】
例えば、１つのコンセント３１における順位ランプの発光色をすべて同一とし、警報部が点灯させる順位ランプの数によりコンセント３１の消費電力量の順位を報知してもよい。
【００４８】
電源タップは、消費電力量が一定量を超過したコンセント３１を報知するランプを有してもよい。
【符号の説明】
【００４９】
１０  電気プラグ
２０  電気ケーブル
３０Ａ、３０Ｂ  本体
３１  コンセント
３２  スイッチ
３３  通電ランプ
３４Ａ、３４Ｂ  計測部
３５  ブザー
３６  ディスプレイ
３７  順位ランプ
１００、２００  電源タップ
【図１】
0003225937.tif 000003
【図２】
0003225937.tif 000004
【図３】
0003225937.tif 000005
【図４】
0003225937.tif 000006
【図５】
0003225937.tif 000007